(57)【要約】【課題】複数の使用者によって入力された情報を混在させて表示した場合に、情報の表示態様が変更されたときであっても、どの使用者から情報が入力されたかが区別可能な表示システムを提供する。【解決手段】表示システムは複数の表示装置１を備え、各表示装置１は自身に入力された手書きの軌跡と、自身と異なる表示装置１にて入力された手書きの軌跡とを表示する。一の表示装置１Ａは、複数の表示装置１にて入力された手書きの軌跡の表示態様夫々を記憶し、他の表示装置１Ｂにて入力された手書きの軌跡における表示態様の変更要求を受信し、変更要求を受信した場合、記憶された表示態様の情報を他の表示装置１Ｂに送信する。他の表示装置１Ｂは、一の表示装置１Ａから表示態様の情報を受信した場合、当該情報に含まれる表示態様以外の表示態様を選択する操作を受け付け、受け付けた操作にて選択された表示態様で入力された手書きの軌跡を表示画面３に表示する。【選択図】図１
2018152129.tif 000002
【特許請求の範囲】
【請求項１】
前記情報が表す画像を表示部に表示する表示装置であって、
接続されている他の表示装置にて入力された手書きの軌跡における表示態様と、前記表示装置にて入力された手書きの軌跡における表示態様と、を取得する表示態様取得部と、
前記表示装置に入力された手書きの軌跡における表示態様の選択を受け付ける操作受付部と、
を備え、
前記操作受付部は、前記軌跡における表示態様の変更操作を受け付けた場合、前記表示態様取得部により取得された表示態様に基づき、変更対象の軌跡以外の軌跡に割り当てられている表示態様の選択を禁止することを特徴とする表示装置。
【請求項２】
前記表示装置は、前記表示装置および前記他の表示装置の何れかで割り当てられている表示態様の選択を禁止することを示す画像を前記表示部に表示することを特徴とする請求項１に記載の表示装置。
【請求項３】
前記表示装置は、前記操作受付部により受け付けた操作により選択された表示態様で入力された手書きの軌跡を表示する表示処理部をさらに備えることを特徴とする請求項１または２に記載の表示装置。
【請求項４】
前記表示装置は、前記表示態様取得部により取得された前記表示態様を示す注釈画面を前記表示部に表示する注釈画面表示部をさらに備え、
前記注釈画面表示部は、前記表示装置および前記他の表示装置にて入力された手書きの軌跡における表示態様の履歴を表示することを特徴とする請求項１から３のいずれかに記載の表示装置。
【請求項５】
コンピュータに、表示装置および接続されている他の表示装置にて入力された手書きの軌跡を表示部に表示させるコンピュータプログラムにおいて、
前記コンピュータを、
前記表示装置および前記他の表示装置にて入力された手書きの軌跡における表示態様を取得する表示態様取得ステップと、
前記表示装置に入力された手書きの軌跡における表示態様の選択を受け付ける選択操作受付ステップと、
前記軌跡における表示態様の変更操作を受け付けた場合、取得された前記表示態様に基づき、変更対象の軌跡以外の軌跡に割り当てられている表示態様の選択を禁止する選択操作禁止ステップと、
を実行させることを特徴とするコンピュータプログラム。
【発明の詳細な説明】
【技術分野】
【０００１】
本発明は、複数の使用者による手書き入力による手書きの軌跡を表示する表示システムに関する。また本発明は、当該手書きの軌跡の表示態様の情報を通信する通信装置、及びコンピュータプログラムに関する。
【背景技術】
【０００２】
従来、表示画面を有する複数の端末が互いに通信を行い、一の端末で入力された情報を他の端末の表示画面に表示させる方法が知られている。特許文献１に記載の情報交換システムは、各端末から入力された情報夫々を異なる表示色で表示することにより、各端末で入力された情報を区別することができる。
【先行技術文献】
【特許文献】
【０００３】
【特許文献１】特開２００３−３２３３８７号公報
【発明の概要】
【発明が解決しようとする課題】
【０００４】
しかしながら、特許文献１に記載の情報交換システムにおいては、各端末に入力された情報の表示色は自動的に割り当てられたものであり、使用者自身により割り当て後の表示色を変更することができない。仮に、一の使用者が割り当て後の表示色を変更した場合、他の使用者と同じ表示色に変更する虞があり、その場合はどの使用者から情報が入力されたかが区別不能となる問題がある。
【０００５】
本発明は斯かる事情に鑑みてなされたものであり、その目的は、複数の使用者によって入力された情報を混在させて表示した場合に、情報の表示態様が変更されたときであっても、どの使用者から情報が入力されたかが区別可能な表示システム、通信装置、及びコンピュータプログラムを提供することにある。
【課題を解決するための手段】
【０００６】
本発明に係る表示システムは、通信部を有し、入力された手書きの軌跡を予め記憶された複数の表示態様の何れかにより表示画面に表示し、前記軌跡を表す軌跡情報を前記通信部から送信する複数の表示装置を備え、各表示装置は、自身と異なる表示装置から送信された軌跡情報を通信部にて受信し、受信した軌跡情報が表す手書きの軌跡を表示画面に表示する表示システムにおいて、一の表示装置は、前記複数の表示装置にて入力された手書きの軌跡の表示態様夫々を記憶する記憶部を有し、他の表示装置にて入力された手書きの軌跡における表示態様の変更要求を通信部にて受信し、前記変更要求を前記通信部にて受信した場合、前記記憶部に記憶された記憶内容を前記通信部から前記他の表示装置に送信するようにしてあり、前記他の表示装置は、前記記憶内容を通信部にて受信した場合、前記複数の表示態様の内、前記記憶内容に含まれる表示態様以外の表示態様を選択する操作を受け付ける選択操作受付手段と、入力された手書きの軌跡を、前記選択操作受付手段が受け付けた操作にて選択された表示態様により表示画面に表示する表示処理手段とを有することを特徴とする。
【０００７】
本発明に係る表示システムは、前記他の表示装置は、入力された手書きの軌跡における表示態様の変更を要求する操作を受け付ける要求操作受付手段を有し、該要求操作受付手段が操作を受け付けた場合、前記変更要求を通信部から前記一の表示装置に送信するようにしてあることを特徴とする。
【０００８】
本発明に係る表示システムは、前記他の表示装置は、前記選択操作受付手段が操作を受け付けた場合、該操作にて選択された表示態様の情報を通信部から前記一の表示装置に送信するようにしてあり、前記一の表示装置は、前記表示態様の情報を通信部にて受信した場合、該情報が表す表示態様が前記他の表示装置にて入力された手書きの軌跡における表示態様となるように、前記記憶部の記憶内容を更新する更新処理手段を有することを特徴とする。
【０００９】
本発明に係る表示システムは、前記他の表示装置は、手書きの入力に用いられる手書入力具を接続する接続部を有し、該接続部が手書入力具を接続した場合、該手書入力具の識別情報を含む接続情報を通信部から前記一の表示装置に送信するようにしてあり、前記一の表示装置は、前記接続情報を通信部にて受信した場合、前記複数の表示態様の内、前記記憶部に記憶されている表示態様以外の任意の表示態様を、前記接続情報に含まれる識別情報に対応付けて前記記憶部に記憶する記憶処理手段を有し、該記憶処理手段にて前記識別情報に対応付けられた表示態様の情報を前記通信部から前記他の表示装置に送信するようにしてあり、前記他の表示装置の表示処理手段は、前記識別情報に対応付けられた表示態様の情報を前記他の表示装置の通信部が受信した場合、前記識別情報により識別される手書入力具から入力された手書きの軌跡を前記表示態様により表示するようにしてあることを特徴とする。
【００１０】
本発明に係る表示システムは、前記他の表示装置は、通信部にて受信した前記記憶部の記憶内容に含まれる前記識別情報及び表示態様の対応関係を自身の表示画面に表示する第２表示処理手段を有することを特徴とする。
【００１１】
本発明に係る表示システムは、前記他の表示装置は、自身の表示画面の表示内容を記憶する操作を受け付ける記憶操作受付手段を有し、該記憶操作受付手段が操作を受け付けた場合、自身の表示画面に表示された手書きの軌跡及び前記第２表示処理手段により表示された表示内容を記憶するようにしてあることを特徴とする。
【００１２】
本発明に係る表示システムは、前記他の表示装置は、前記記憶部の記憶内容の送信要求を通信部から前記一の表示装置に反復的に送信するようにしてあり、前記一の表示装置は、前記送信要求を通信部にて受信した場合、前記記憶部の記憶内容を該通信部から前記他の表示装置に送信するようにしてあることを特徴とする。
【００１３】
本発明に係る表示システムは、前記表示態様は、前記軌跡を表す線の線種、線幅、及び色の少なくとも一つを含むことを特徴とする。
【００１４】
本発明に係る通信装置は、入力された手書きの軌跡を予め記憶された複数の表示態様の何れかにより表示画面に表示する複数の表示装置夫々との間で、前記表示態様の情報の通信を行う通信装置であって、前記複数の表示装置にて入力された手書きの軌跡の表示態様夫々を記憶する記憶部と、入力された手書きの軌跡における表示態様の変更要求を前記表示装置から受信する受信部と、該受信部が変更要求を受信した場合、前記複数の表示態様の内、前記記憶部に記憶された表示態様以外の表示態様に変更させるべく、前記記憶部に記憶された表示態様の情報を前記表示装置に送信する送信部とを備えることを特徴とする。
【００１５】
本発明に係るコンピュータプログラムは、入力された手書きの軌跡を予め記憶された複数の表示態様の何れかにより表示画面に表示する複数の表示装置夫々との間で、前記表示態様の情報の通信をコンピュータに行わせるコンピュータプログラムであって、前記コンピュータに、前記複数の表示装置にて入力された手書きの軌跡の表示態様夫々を記憶する
記憶ステップと、入力された手書きの軌跡における表示態様の変更要求を前記表示装置から受信する受信ステップと、変更要求を受信した場合、前記複数の表示態様の内、記憶された表示態様以外の表示態様に変更させるべく、記憶された表示態様を前記表示装置に送信する送信ステップとを実行させることを特徴とする。
【発明の効果】
【００１６】
本発明によれば、複数の使用者によって入力された情報を混在させて表示した場合に、情報の表示態様が変更されたときであっても、どの使用者から情報が入力されたかが区別可能となる。
【図面の簡単な説明】
【００１７】
【図１】実施形態１おける表示システムの構成例を示す模式図である。
【図２】表示装置の構成を示すブロック図である。
【図３】ペン管理テーブルの一例を示す概念図である。
【図４】色管理テーブルの一例を示す概念図である。
【図５】ペン設定画面の一例を示す模式図である。
【図６】スタイラスペンが複数接続されている場合のペン設定画面の表示例を示す模式図である。
【図７】注釈画面の一例を示す模式図である。
【図８】追加処理を行うときにおける表示システムの処理手順を示すフローチャートである。
【図９】変更処理を行うときにおける表示システムの処理手順を示すフローチャートである。
【図１０】変更処理を行うときにおける表示システムの処理手順を示すフローチャートである。
【図１１】解除処理を行うときにおける表示システムの処理手順を示すフローチャートである。
【図１２】更新表示処理を行うときにおける表示システムの処理手順を示すフローチャートである。
【図１３】記憶操作を受け付けたときにおける表示装置の処理手順を示すフローチャートである。
【図１４】実施形態２における注釈画面の一例を示す模式図である。
【図１５】線種管理テーブルの一例を示す概念図である。
【図１６】線幅管理テーブルの一例を示す概念図である。
【発明を実施するための形態】
【００１８】
以下、本発明をその実施の形態を示す図面に基づいて詳述する。
【００１９】
（実施形態１）
図１は、実施形態１における表示システムの構成例を示す模式図である。実施形態１における表示システムは、複数の表示装置１を備え、各表示装置１は通信網ＮＷを介して互いに接続されている。表示装置１は、表示パネル３及びタッチパネル４を有しており、スタイラスペン２を用いた操作入力をタッチパネル４にて受け付け、受け付けた操作入力に基づいて各種の情報を表示パネル３に表示する。通信網ＮＷは例えば、会議が行われる会社組織内の社内ＬＡＮ（Local Area Network）、又はインターネット等の公衆通信網等で構成される。
【００２０】
表示装置１は、例えばパーソナルコンピュータと同等の機能を有しており、電源投入時にＯＳ（Operating System）等を起動し、起動したＯＳ上で各種ドライバソフトウェア、アプリケーションソフトウェア等が動作するように構成されている。表示装置１は、ＯＳ
の起動後、デスクトップ、アイコン、ボタン、メニュー、ウインドウなどのＧＵＩのコンポーネント等のオブジェクトを表示パネル３に表示することにより、使用者にＧＵＩ環境を提供する。
【００２１】
使用者は、スタイラスペン２を用いて操作対象のオブジェクトに対する操作を行うことにより、各種の処理を表示装置１に実行させることができる。表示装置１は、スタイラスペン２を用いて行われた操作をタッチパネル４にて検出し、検出した操作に応じて、アプリケーションを起動する処理、アイコンで示されるファイルの内容を表示する処理、ボタンに割り当てられた機能を実行する処理、メニューを表示させる処理、ウインドウを移動させる処理等の様々な処理を実行する。
【００２２】
表示装置１が備えるアプリケーションソフトウェアの１つとして、画面上で描かれた軌跡に対応する線（手書き線）を表示パネル３に表示させるペンソフトが含まれる。表示装置１は、ペンソフトを実行することにより、スタイラスペン２により指定されたタッチパネル４上の位置を時系列的に検出して画面上で描かれた軌跡を特定し、特定した軌跡に対応する線を表示パネル３に表示させる機能を実現する。
【００２３】
また、表示装置１は夫々、通信網ＮＷを介して特定した軌跡の情報を送信し、自身と異なる表示装置１の表示パネル３に当該情報が表す軌跡を表示させる。実施形態１の表示システムにおいては、複数の表示装置１の何れかで使用されるスタイラスペン２間で、手書き文字及び線画を含む手書きの軌跡を表示する際の表示色が互いに異なるように、各スタイラスペン２へ表示色の割り当てが行われる。複数の表示装置１における一の表示装置１が各スタイラスペン２に割り当てられている表示色の情報を記憶しており、他の表示装置１に当該情報の送信等を行うことにより、各スタイラスペン２に割り当てられる表示色を異ならせることができる。以下では適宜、当該一の表示装置１をホスト端末１Ａと称し、他の表示装置１をクライアント端末１Ｂと称する。
【００２４】
更に、各表示装置１は、各スタイラスペン２に割り当てられている表示色を使用者が確認可能であるように後述の注釈画面１０３を表示パネル３に表示する。
【００２５】
なお、各表示装置１にて使用できるスタイラスペン２の数は、単数であっても複数であってもよく、複数の場合は、図１に示したように２つに限定されるものではなく、３つ以上であってもよい。
【００２６】
また、図１においては、ホスト端末１Ａ及びクライアント端末１Ｂが夫々１つずつ設けられている状態が示されているが、クライアント端末１Ｂが２つ以上設けられていてもよい。更に、実施形態１における表示システムは、一の表示装置１がホスト端末１Ａとなり、その他の表示装置１がクライアント端末１Ｂとなるように構成されればよい。即ち、各表示装置１がホスト端末１Ａ及びクライアント端末１Ｂの何れにもなり得る。
【００２７】
図２は表示装置１の構成を示すブロック図である。表示装置１は、主制御部１１、記憶部１２、ペン接続部１３、バックライト制御部１４、表示制御部１５、タッチパネル制御部１６、及び通信部１７を備え、上述した表示パネル３及びタッチパネル４の動作を制御する。なお、以下では適宜、ホスト端末１Ａにおける各部を夫々、主制御部１１Ａ、記憶部１２Ａ、ペン接続部１３Ａ、バックライト制御部１４Ａ、表示制御部１５Ａ、タッチパネル制御部１６Ａ、及び通信部１７Ａと称する。同様に、クライアント端末１Ｂにおける各部を夫々、主制御部１１Ｂ、記憶部１２Ｂ、ペン接続部１３Ｂ、バックライト制御部１４Ｂ、表示制御部１５Ｂ、タッチパネル制御部１６Ｂ、及び通信部１７Ｂと称する。
【００２８】
主制御部１１は、例えば、ＣＰＵ、ＲＡＭなどにより構成される。主制御部１１のＣＰ
Ｕは、ＯＳ、各種ドライバソフトウェア等のコンピュータプログラムを含む後述の制御プログラムＲＡＭにロードして実行することにより、上述のハードウェア各部の動作を制御する、装置全体を本発明に係る表示装置として機能させる。
【００２９】
記憶部１２は、ＥＥＰＲＯＭ（Electrically Erasable and Programmable ROM）、フラッシュメモリ、ＨＤＤ（Hard Disk Drive）等の不揮発性の記憶手段を備える。記憶部１
２には、制御プログラムが記憶されている。制御プログラムは、主制御部１１によって実行される上述のＯＳ、ドライバソフトウェア、ペンソフトを含む各種アプリケーションソフトウェア、及びＯＳ等のコンピュータプログラムである。また、記憶部１２には、制御プログラムによって使用されるデータ等が記憶されている。また、記憶部１２は、登録されたスタイラスペン２の情報を記憶するペン管理テーブル１００（図３参照）、スタイラスペン２に割り当てられた表示色等の情報が記憶されている色管理テーブル１０１（図４参照）を備える。
【００３０】
実施形態１に係る制御プログラムは、記録媒体５にコンピュータ読み取り可能に記録されている制御プログラム５ａの複製であってもよい。記憶部１２は、図示しない読出装置によって記録媒体５から読み出された制御プログラム５ａを記憶する。記録媒体５は、ＣＤ（Compact Disc）−ＲＯＭ、ＤＶＤ（Digital Versatile Disc）−ＲＯＭ、ＢＤ（Blu-ray （登録商標）Disc）等の光ディスク、フレキシブルディスク、ハードディスク等の磁気ディスク、磁気光ディスク、半導体メモリ等である。
【００３１】
ペン接続部１３は、無線ドングル２０を装着するための装着部１３ａを備える。無線ドングル２０は、複数のスタイラスペン２との間で無線通信を行う機能を有する。無線ドングル２０と各スタイラスペン２との間の無線通信として、例えば、ＩＥＥＥ８０２．１１の規格に準拠した無線通信、Ｂｌｕｅｔｏｏｔｈ（登録商標）、ＺｉｇＢｅｅ（登録商標）、赤外線通信などを採用することができる。実施形態１では、無線ドングル２０をペン接続部１３の装着部１３ａに装着した状態にて、スタイラスペン２側で所定の操作（例えば、図に示していない登録ボタンの押下操作）を行うことにより、スタイラスペン２を無線ドングル２０に登録する。ここで、スタイラスペン２は、本発明の手書入力具に相当する。
【００３２】
表示装置１は、無線ドングル２０を通じて、登録されたスタイラスペン２の情報を取得し、登録されたスタイラスペン２の情報を記憶部１２内のペン管理テーブル１００にて管理する。
【００３３】
なお、実施形態１では、無線ドングル２０を用いてスタイラスペン２を登録する構成としたが、無線ドングル２０を用いずに、表示装置１とスタイラスペン２との間で直接的に通信を行うことにより、スタイラスペン２を表示装置１に登録させる構成としてもよい。また、スタイラスペン２は、表示装置１のペン接続部１３と有線接続するようにしてもよい。
【００３４】
バックライト制御部１４には、バックライト（不図示）が接続されており、表示制御部１５には、表示パネル３が接続されている。バックライトは、白色ＬＥＤ（Light Emitting Diode）又は冷陰極蛍光管等の光源を有し、表示パネル３を背面側から照明する。バックライト制御部１４は、主制御部１１からの指示に従ってバックライトの点灯及び消灯を制御する。表示パネル３は、例えばカラー液晶パネルであり、主制御部１１からの指示に従って表示制御部１５が表示パネル３を駆動させることにより、画像、文字等の各種情報を表示する。
【００３５】
タッチパネル制御部１６には、タッチパネル４が接続されている。タッチパネル４は、
表示パネル３の前面側（表示面側）に配置されており、表示パネル３に対するスタイラスペン２による操作を検出するためのタッチセンサ（不図示）を備える。このようなタッチセンサには、静電容量方式、抵抗膜方式、電磁誘導方式、赤外線方式等のセンサを用いることができる。なお、タッチセンサは、スタイラスペン２とタッチパネル４との接触状態を検出する構成であってもよく、スタイラスペン２とタッチパネル４との接触状態だけでなく、近接状態を検出する構成であってもよい。
【００３６】
タッチパネル制御部１６は、タッチセンサの動作を制御すると共に、タッチセンサからの出力に基づいて、スタイラスペン２により指定された表示パネル３上の位置を検出し、検出した位置に係る位置情報を主制御部１１に通知する。主制御部１１は、タッチパネル制御部１６から通知される位置情報に応じて、タッチパネル４上で描かれた軌跡を特定する処理などを実行する。
【００３７】
通信部１７は、主制御部１１の制御に従ってネットワークＮＷを介した通信を行う。具体的には、通信部１７は、主制御部１１の制御に従い、ネットワークＮＷを介して送信される情報のパケット化、ネットワークＮＷを介して受信されるパケットからの情報の読み取り等の処理を行う。
【００３８】
次に、表示装置１が備える上述のペン管理テーブル１００及び色管理テーブル１０１について説明する。図３はペン管理テーブル１００の一例を示す概念図である。ペン管理テーブル１００には、各スタイラスペン２に割り当てられたＩＤ（以下、ペンＩＤという）と、スタイラスペン２の固有情報である識別子とが対応付けて記憶されている。
【００３９】
ペンＩＤは、例えば１〜Ｎ（Ｎは登録済みのスタイラスペン２の数）の整数値により表される。また、識別子は、スタイラスペン２の製造番号、シリアル番号等のスタイラスペン２を一意に識別することができる固有情報であり、例えば英数字及び記号により表される。
無線ドングル２０は、スタイラスペン２の登録時に、当該スタイラスペン２に対してペンＩＤを割り当てると共に、当該スタイラスペン２から識別子を取得する。また、主制御部１１は、ペン接続部１３を通じて、無線ドングル２０に登録されたスタイラスペン２のペンＩＤ及び識別子を取得し、当該ペンＩＤ及び識別子を記憶部１２内のペン管理テーブル１００に記憶する。
【００４０】
図３に示す例では、２本以上のスタイラスペン２が登録されている状態を示しており、例えば、識別子（１）のスタイラスペン２に対し、ペンＩＤ「１」が割り当てられ、識別子（２）のスタイラスペン２に対し、ペンＩＤ「２」が割り当てられたことを示している。
【００４１】
図４は色管理テーブル１０１の一例を示す概念図である。色管理テーブル１０１は、手書きの軌跡を表示する際の表示色（色名）、各表示色の色コード、当該表示色が割り当てられているスタイラスペン２の接続先を示す表示装置１の端末名、及び当該スタイラスペン２のペンＩＤを対応付けて記憶する。ここで、表示装置１の端末名は、表示装置１を識別可能な情報であれば、表示装置１の製造番号、ＭＡＣ（Media Access Control）アドレス、使用者に入力された名称等を適宜設定可能である。
【００４２】
実施形態１では、黒色、赤色、青色、緑色、黄色の五色（以下、基本色という）と、それ以外のカスタム色とを表示色として定めている。各表示色には一意の色コードが予め規定されている。色コードとしては、例えば＃から始まる６桁の１６進数を用いることができる。
【００４３】
表示装置１にて所定の変更操作を受け付けた場合、主制御部１１は、ペン設定画面１０２（図５参照）を表示パネル３に表示させる。実施形態１では、ペン設定画面１０２を通じて、線の種類、線の太さ、線の色を変更できるようにしている。
【００４４】
図５はペン設定画面１０２の一例を示す模式図である。ペン設定画面１０２は、表示装置１が線種の指定を受け付けるための３つのアイコン１１１〜１１３を備える。使用者は、スタイラスペン２を用いてアイコン１１１（又は１１２，１１３）を選択することにより、そのスタイラスペン２を用いて手書きの軌跡を描く際の線種を変更することができる。図５に示した例では、線種として「ペン」が選択されている状態を示している。
【００４５】
また、ペン設定画面１０２は、表示装置１が予め定めた線幅の指定を受け付けるための５つのアイコン１２１〜１２５と、任意の線幅の指定を受け付けるためのアイコン１２６とを備える。使用者は、スタイラスペン２を用いて何れかのアイコン１２１（又は１２２〜１２６）を選択することにより、そのスタイラスペン２を用いて手書きの軌跡を描く際の線幅を変更することができる。図５に示した例では、線幅として２番目に細い線幅が選択されている状態を示している。
【００４６】
また、ペン設定画面１０２は、線の色（表示色）を基本色から選択するための５つのアイコン１３１〜１３５と、カスタム色から選択するためのアイコン１３６とを備える。カスタム色を選択するためのアイコン１３６が選択された場合、主制御部１１は、選択可能なカスタム色のリストを表示パネル３上に表示させ、カスタム色の選択を受け付ける。使用者は、スタイラスペン２を用いて基本色に対応したアイコン１３１（又は１３２〜１３５）を選択するか、又はアイコン１３６が選択されたときに表示されるリストからカスタム色を選択することにより、スタイラスペン２を用いて手書きの軌跡を描く際の表示色を変更することができる。図５に示した例では、線の色として赤色が選択されている状態を示している。
【００４７】
ペン設定画面１０２にてボタン１４１が選択された場合、主制御部１１は、線種、線幅、表示色について受け付けた変更を確定させた状態でペン設定画面１０２を閉じる。また、ペン設定画面１０２にてボタン１４２が選択された場合、主制御部１１は、変更を確定せずにペン設定画面１０２を閉じる。
【００４８】
実施形態１の表示装置１は夫々、各表示装置１にて接続されている複数のスタイラスペン２の間で表示色が重複しないように、各スタイラスペン２に対する表示色を設定する。このため、各表示装置１は、表示システム全体で複数のスタイラスペン２が接続されている状態でペン設定画面１０２を表示する場合、他のスタイラスペン２に割り当てられている表示色が選択できないことを表示する構成としている。
【００４９】
図６はスタイラスペン２が複数接続されている場合のペン設定画面１０２の表示例を示す模式図である。図６の例は、３つのスタイラスペン２がペン接続部１３に接続されており、１つのスタイラスペン２に割り当てる表示色を変更するためにペン設定画面１０２を表示パネル３に表示させた状態を示している。
【００５０】
実施形態１では、各スタイラスペン２に対して表示色を重複して割り当てることを禁止するために、既に他のスタイラスペン２に割り当てられている表示色（図６に示す例では黄色及び緑色）が選択できないことを示すマークＭをペン設定画面１０２に表示する。この例では、アイコン１３４及び１３５の選択が禁止され、アイコン１３１〜１３３の何れかが選択されることにより、緑色及び黄色を除く基本色の選択を受け付けるか、又はアイコン１３６が選択されたときに表示されるリストからカスタム色の選択を受け付ける。なお、実施形態１において表示装置１は、選択が禁止されているアイコンにマークＭを表示
することによって当該アイコンの選択が禁止されていることを使用者に通知しているが、当該アイコンがグレーアウトする等の他の表示によって通知してもよい。
【００５１】
次に上述の注釈画面１０３について説明する。図７は、注釈画面１０３の一例を示す模式図である。注釈画面１０３には、登録済みのスタイラスペン２を識別する名称毎に、各スタイラスペン２の表示色が表示されている。図７の注釈画面１０３の例では、「Ｈｏｓｔ１」、「Ｈｏｓｔ２」、及び「Ｃｌｉｅｎｔ１」の名称にて識別されるスタイラスペン２夫々に、表示色１０３ａ〜１０３ｃ夫々が割り当てられていることが示されている。ここで、表示色１０３ａ〜１０３ｃは夫々、緑色、黄色、赤色を表している。なお、スタイラスペン２を識別する名称は、使用者により適宜設定可能に構成されていてもよい。例えば、スタイラスペン２を使用する使用者の個人名、所属部署名等を使用者が設定してもよい。
【００５２】
以上のように構成された実施形態１の表示システムにおいて、ホスト端末１Ａは、クライアント端末１Ｂから情報を取得することにより、記憶部１２Ａの色管理テーブル１０１に記憶された内容の追加、削除等の処理を行う。また、ホスト端末１Ａは、記憶部１２Ａの色管理テーブル１０１をクライアント端末１Ｂに送信する処理を行う。クライアント端末１Ｂは、ホスト端末１Ａから送信された色管理テーブル１０１を記憶部１２Ｂに記憶し、記憶した色管理テーブル１０１に基づいて各種の処理を行う。以下に、ホスト端末１Ａ及びクライアント端末１Ｂ夫々が色管理テーブル１０１を処理に用いる例を示す。
【００５３】
各表示装置１は、スタイラスペン２が新たに追加される場合、既に登録済みのスタイラスペン２に割り当てられている表示色とは異なる表示色を、新たに追加されるスタイラスペン２に割り当てる。
ホスト端末１Ａの主制御部１１Ａは例えば、新たに接続されたスタイラスペン２に対し、基本色を示す５つの色コードのうち、既に他のスタイラスペン２にて使用されている設定済みの色コードを除く、最も小さな値の色コードを持つ表示色を設定する。主制御部１１Ａは、スタイラスペン２に対して設定した表示色と、当該スタイラスペン２に割り当てられたペンＩＤとを対応付けて色管理テーブル１０１に記憶する。
クライアント端末１Ｂの主制御部１１Ｂは、新たにスタイラスペン２が接続された場合、ホスト端末１Ａと通信を行うことで、当該スタイラスペン２に表示色を割り当てる。以下、スタイラスペン２がクライアント端末１Ｂに新たに追加された場合に表示システムが行う処理を追加処理と称する。
【００５４】
また、各表示装置１は、登録済みのスタイラスペン２に割り当てられている表示色の変更を要求する操作を受け付け、変更する表示色の選択を、ペン設定画面１０２を介して受け付ける。その後、表示色の変更を要求する操作に用いられたスタイラスペン２に新たな表示色を割り当てる。
ホスト端末１Ａの主制御部１１Ａは例えば、ペン接続部１３Ａに接続されたスタイラスペン２から上述の変更操作を受け付けた場合に、ペン設定画面１０２を表示パネル３に表示する。主制御部１１Ａは、アイコン１３１〜１３５の内、マークＭが表示されていないアイコンの選択を受け付ける。主制御部１１Ａは、選択を受け付けたアイコンが表す表示色と当該スタイラスペン２のペンＩＤとを対応付けて色管理テーブル１０１に記憶する。
クライアント端末１Ｂの主制御部１１Ｂは、ペン接続部１３Ｂに接続されたスタイラスペン２から上述の変更操作を受け付けた場合、ホスト端末１Ａと通信を行うことで当該スタイラスペン２に割り当てられた表示色を変更する。以下、スタイラスペン２が表示色の変更を要求する操作をクライアント端末１Ｂが受け付けた場合に表示システムが行う処理を変更処理と称する。
【００５５】
また、各表示装置１は、登録済みのスタイラスペン２の接続が解除されたとき、ペン管
理テーブル１００及び色管理テーブル１０１の更新を行う。
ホスト端末１Ａの主制御部１１Ａは例えば、スタイラスペン２の接続がペン接続部１３Ａから解除された場合、記憶部１２Ａに記憶されたペン管理テーブル１００から当該スタイラスペン２の識別子を削除する。また、主制御部１１Ａは、記憶部１２Ａに記憶された色管理テーブル１０１に登録されている当該識別子に対応するペンＩＤを削除する。
クライアント端末１Ｂの主制御部１１Ｂは、スタイラスペン２の接続がペン接続部１３Ｂから解除された場合、ペン管理テーブル１００の更新と、ホスト端末１Ａと通信を行うことで色管理テーブル１０１の更新を行う。以下、スタイラスペン２の接続がクライアント端末１Ｂから解除される場合に表示システムが行う処理を解除処理と称する。
【００５６】
更に、各表示装置１は、色管理テーブル１０１を参照して注釈画面１０３の表示を更新する。
ホスト端末１Ａは例えば、ペン管理テーブル１００のペン識別子と当該ペン識別子を有するスタイラスペン２を識別する名称とを対応付けて記憶するように構成されている。主制御部１１Ａは例えば、１秒等の所定の時間間隔毎に色管理テーブル１０１を参照し、ペンＩＤに対応付けて記憶されている表示色の情報を抽出し、当該ペンＩＤに対応する識別子に対応付けて記憶されている名称と共に注釈画面１０３に表示する。
クライアント端末１Ｂの主制御部１１Ｂは、ホスト端末１Ａと通信を行うことで色管理テーブル１０１の更新を行い、更新後の色管理テーブル１０１を参照することで注釈画面１０３の表示を更新する。以下、クライアント端末１Ｂにて注釈画面１０３の表示が行われる場合に表示システムが行う処理を更新表示処理と称する。
【００５７】
次に、追加処理、変更処理、解除処理、及び更新表示処理を行うときにおける表示システムの処理手順について説明する。
【００５８】
図８は、追加処理を行うときにおける表示システムの処理手順を示すフローチャートである。クライアント端末１Ｂにおけるペン接続部１３Ｂに装着された無線ドングル２０は、通常動作時等において、新たなスタイラスペン２を追加するか否かを判定する（ステップＳ１１）。無線ドングル２０は、スタイラスペン２にて所定の操作（例えば、図に示していない登録ボタンの押下操作）が実行されたことを検知した場合、新たなスタイラスペン２を追加すると判定する。スタイラスペン２を追加しないと判定した場合（Ｓ１１：ＮＯ）、無線ドングル２０は待機する。
【００５９】
スタイラスペン２を追加すると判定した場合（Ｓ１１：ＹＥＳ）、無線ドングル２０は、追加すべき新たなスタイラスペン２と無線通信を行い、当該スタイラスペン２から識別子を取得することにより、スタイラスペン２の認識を行う（ステップＳ１２）。
【００６０】
次いで、無線ドングル２０は、認識したスタイラスペン２に対してペンＩＤの割り当てを行う（ステップＳ１３）。例えば、複数の登録済みのスタイラスペン２に対して、既に１〜ＮのペンＩＤを割り当てている場合、無線ドングル２０は、ステップＳ１２で認識した新たなスタイラスペン２に対し、ペンＩＤとしてＮ＋１を割り当てる。クライアント端末１Ｂの主制御部１１Ｂは、新たに登録されたスタイラスペン２の識別子及びペンＩＤを無線ドングル２０から取得し、両者を対応付けてペン管理テーブル１００に記憶させる。その後、主制御部１１Ｂは、接続情報を通信部１７Ｂからホスト端末１Ａに送信する（ステップＳ１４）。接続情報には、新たに登録されたスタイラスペン２のペンＩＤと、クライアント端末１Ｂの端末名と、当該スタイラスペン２がペン接続部１３Ｂに接続されたことを示す情報とが含まれている。
【００６１】
ホスト端末１Ａの主制御部１１Ａは、通信部１７Ａにて接続情報を受信したか否かを判定する（ステップＳ１５）。接続情報を受信していないと判定した場合（Ｓ１５：ＮＯ）
、主制御部１１Ａは接続情報を受信するまで待機する。
【００６２】
接続情報を受信したと判定した場合（Ｓ１５：ＹＥＳ）、主制御部１１Ａは当該接続情報に含まれるペンＩＤを有するスタイラスペン２に割り当てることが可能な色を色管理テーブル１０１の中から検索する（ステップＳ１６）。具体的には主制御部１１Ａは、色管理テーブル１０１中に端末名及びペンＩＤが記憶されていない色を検索する。例えば、色管理テーブル１０１が図４中に示したようなテーブルであった場合、主制御部１１Ａは、赤色、緑色、紺色、橙色、及び紫色等を検索する。
【００６３】
その後、主制御部１１Ａは、接続情報に含まれるペンＩＤ及び端末名を色管理テーブル１０１に記憶する（ステップＳ１７）。主制御部１１Ａは例えば、ステップＳ１６の検索結果の色の内、最も小さな値を有する色コードに対応付けて、当該ペンＩＤ及び端末名を色管理テーブル１０１に記憶する。主制御部１１ＡはステップＳ１７において制御プログラムを実行することにより本発明の記憶処理手段として機能する。その後、主制御部１１Ａは、クライアント端末１Ｂに色管理テーブル１０１を通信部１７Ａから送信する（ステップＳ１８）。
【００６４】
クライアント端末１Ｂの主制御部１１Ｂは、ホスト端末１Ａからの色管理テーブル１０１を通信部１７Ｂにて受信したか否かを判定する（ステップＳ１９）。受信していないと判定した場合（Ｓ１９：ＮＯ）、主制御部１Ｂは色管理テーブル１０１を受信するまで待機する。
【００６５】
色管理テーブル１０１を受信したと判定した場合（Ｓ１９：ＹＥＳ）、主制御部１１Ｂは、記憶部１２Ｂに受信した色管理テーブル１０１を記憶し（ステップＳ２０）、その後処理を終える。
【００６６】
以上の追加処理によって、クライアント端末１Ｂは、新たに追加されたスタイラスペン２よる手書き入力があったとき、ステップＳ２０で記憶した色管理テーブル１０１を参照することにより、割り当てた表示色で手書きの軌跡を表示する。従って、クライアント端末１Ｂは、複数のスタイラスペン２が接続された場合であっても、色管理テーブル１０１をホスト端末１Ａから受信することで各スタイラスペン２による表示態様を区別することができる。そのため、１つのクライアント端末１Ｂに複数人の使用者がスタイラスペン２を用いて情報を入力した場合であっても、どの使用者から情報が入力されたかを区別可能とすることができる。
【００６７】
なお、実施形態１においては、ホスト端末１ＡがステップＳ１８で色管理テーブル１０１を送信することを説明したが、新たに追加されたスタイラスペン２を識別する情報と当該スタイラスペン２に割り当てるべき表示色の情報とが送信されるだけでもよい。そして、クライアント端末１Ｂの主制御部１１Ｂは、記憶部１２Ｂに記憶された色管理テーブル１０１にホスト端末１Ａから送信された情報を記憶するようにしてもよい。
【００６８】
図９及び１０は、変更処理を行うときにおける表示システムの処理手順を示すフローチャートである。クライアント端末１Ｂの主制御部１１Ｂは、上述の変更操作を受け付けたか否かを判定する（ステップＳ２１）。主制御部１１Ｂは例えば、タッチパネル制御部１６Ｂからペン設定画面１０２を表示するために表示パネル３に表示された特定のボタン等に対する接触を示す位置情報が入力されたか否かにより判定する。主制御部１１ＢはステップＳ２１において制御プログラムを実行することにより、本発明の要求操作受付手段として機能する。変更操作を受け付けていないと判定した場合（Ｓ２１：ＮＯ）、主制御部１１Ｂは変更操作を受け付けるまで待機する。
【００６９】
変更操作を受け付けたと判定した場合（Ｓ２１：ＹＥＳ）、主制御部１１Ｂは、変更要求を通信部１７Ｂからホスト端末１Ａに送信する（ステップＳ２２）。変更要求には例えば、受け付けた変更操作に用いられたスタイラスペン２のペンＩＤと、クライアント端末１Ｂの端末名と、変更操作を受け付けたことを示す情報とが含まれる。
【００７０】
ホスト端末１Ａの主制御部１１Ａは、通信部１７Ａにて変更要求を受信したか否かを判定する（ステップＳ２３）。変更要求を受信していないと判定した場合（Ｓ２３：ＮＯ）、主制御部１１Ａは通信部１７Ａにて変更要求を受信するまで待機する。変更要求を受信したと判定した場合（Ｓ２３：ＹＥＳ）、主制御部１１Ａは、記憶部１２Ａに記憶してある色管理テーブル１０１を、変更要求の送信元であるクライアント端末１Ｂに通信部１７Ａから送信する（ステップＳ２４）。
【００７１】
クライアント端末１Ｂの主制御部１１Ｂは、ホスト端末１Ａからの色管理テーブル１０１を通信部１７Ｂにて受信したか否かを判定する（ステップＳ２５）。色管理テーブル１０１を受信していないと判定した場合（Ｓ２５：ＮＯ）、主制御部１１Ｂは通信部１７Ｂにて色管理テーブル１０１を受信するまで待機する。色管理テーブル１０１を受信したと判定した場合（Ｓ２５：ＹＥＳ）、主制御部１１Ｂは、受信した色管理テーブル１０１に基づいてペン設定画面１０２を表示パネル３に表示する（ステップＳ２６）。
【００７２】
次いで、主制御部１１Ｂは、ペン設定画面１０２中に表示されたアイコン１３１〜１３５の内、一のアイコンを選択する操作を受け付けたか否かを判定する（ステップＳ２７）。一のアイコンは、マークＭが表示されていないアイコンである。主制御部１１ＢはステップＳ２７において制御プログラムを実行することにより、本発明の選択操作受付手段として機能する。選択する操作を受け付けていないと判定した場合（Ｓ２７：ＮＯ）、主制御部１１Ｂは、選択する操作を受け付けるまで待機する。
【００７３】
選択する操作を受け付けたと判定した場合（Ｓ２７：ＹＥＳ）、主制御部１１Ｂは、変更操作に用いられたスタイラスペン２による手書き入力があったか否かを判定する（ステップＳ２８）。手書き入力があったと判定した場合（Ｓ２８：ＹＥＳ）、主制御部１１Ｂは選択されたアイコンが表す表示色にて手書き入力による手書きの軌跡を表示パネル３に表示する処理を行う（ステップＳ２９）。主制御部１１ＢはステップＳ２９において制御プログラムを実行することにより、本発明の表示処理手段として機能する。
【００７４】
手書き入力がないと判定した場合（Ｓ２８：ＮＯ）、又はステップＳ２９の処理の後、主制御部１１Ｂは、色情報を通信部１７Ａから送信する（ステップＳ３０）。色情報は例えば、選択する操作にて選択された表示色の色コードと、当該選択する操作に用いられたスタイラスペン２のペンＩＤと、クライアント端末１Ｂの端末名とを含む。
【００７５】
ホスト端末１Ａの主制御部１１Ａは、通信部１７Ａにて色情報を受信したか否かを判定する（ステップＳ３１）。色情報を受信していないと判定した場合（Ｓ３１：ＮＯ）、主制御部１１Ａは通信部１７Ａから色情報を受信するまで待機する。
【００７６】
色情報を受信したと判定した場合（Ｓ３１：ＹＥＳ）、主制御部１１Ａは受信した色情報を用いて色管理テーブル１０１の内容を更新する（ステップＳ３２）。具体的には、主制御部１１Ａは、自身の記憶部１２に記憶されている色管理テーブル１０１を参照し、受信した色情報に含まれるペンＩＤ及び端末名を色管理テーブル１０１から削除する。また、主制御部１１Ａは、受信した色情報に含まれる色コードに対応付けて、当該色情報に含まれるペンＩＤ及び端末名を色管理テーブル１０１に記憶する。主制御部１１ＡはステップＳ３２において制御プログラムを実行することにより、本発明の更新処理手段として機能する。次いで、主制御部１１Ａは、更新した色管理テーブル１０１をクライアント端末
１Ｂに通信部１７Ａから送信する（ステップＳ３３）。
【００７７】
クライアント端末１Ｂの主制御部１１Ｂは、ホスト端末１Ａからの色管理テーブル１０１を通信部１７Ｂにて受信したか否かを判定する（ステップＳ３４）。色管理テーブル１０１を受信していないと判定した場合（Ｓ３４：ＮＯ）、主制御部１１Ｂは、色管理テーブル１０１を受信するまで待機する。色管理テーブル１０１を受信したと判定した場合（Ｓ３４：ＹＥＳ）。主制御部１１Ｂは、記憶部１２に受信した色管理テーブル１０１を記憶する（ステップＳ３５）。その後、主制御部１１Ｂは処理を終える。
【００７８】
以上の変更処理によって、クライアント端末１Ｂは、手書きの軌跡の表示態様を変更する際に、既に選択されている表示態様以外の表示態様からの選択する操作を受け付けることができる。そのため、複数の使用者によって入力された情報を混在させて表示した場合に、情報の表示態様が変更されたときであっても、どの使用者から情報が入力されたかが区別可能となる。
【００７９】
また、クライアント端末１Ｂは、使用者から表示態様の変更を要求する操作を受け付けた場合にホスト端末１Ａと通信を行い、使用されていない表示態様をペン設定画面１０２に表示することで、他の使用者と異なる表示態様を使用者に選択させることができる。
【００８０】
更に、ホスト端末１Ａは、クライアント端末１Ｂにて入力される手書きの軌跡における表示態様が変更された場合に、変更された表示態様を色管理テーブル１０１に記憶することで、当該色管理テーブル１０１の更新を行うことができる。そのため、ホスト端末１Ａが例えば、第３の表示装置１から表示態様の変更要求を受信した場合であっても、選択されていない表示態様を当該第３の表示装置１の使用者に選択させることができる。
【００８１】
なお、ホスト端末１Ａの主制御部１１Ａは、ステップＳ２３で一のクライアント端末１Ｂから変更要求を受信した際に、他のクライアント端末１Ｂに係る変更処理中の場合、当該変更処理を終えるまでステップＳ２４に処理を進めないようにしてもよい。
また、ステップＳ３１で受信した色情報に含まれるペンＩＤと異なるペンＩＤが、当該色情報に含まれる色コードに対応付けて色管理テーブル１０１に記憶されていた場合、主制御部１１ＡはステップＳ３２の処理に代え、色情報の送信元にその旨通知してもよい。主制御部１１Ａは例えば、当該送信元のクライアント端末１Ｂの表示パネル３に、「他の色を選択してください」「他のユーザによって選択されました」等のメッセージを表示させるべく通知を行う。
主制御部１１Ａがこのような処理を行うことにより複数のクライアント端末１Ｂ夫々に接続されたスタイラスペン２に同じ表示色が割り当てられることを防止することができる。
【００８２】
また、図１０中のステップＳ３３〜ステップＳ３５の処理は必須ではない。例えば、クライアント端末１Ｂの主制御部１１Ｂは図９中のステップＳ２７で選択操作を受け付けたと判定した場合に、ステップＳ３２と同様の処理にて記憶部１２Ｂに記憶された色管理テーブル１０１の内容を更新するようにしてもよい。
【００８３】
図１１は、解除処理を行うときにおける表示システムの処理手順を示すフローチャートである。クライアント端末１Ｂの主制御部１１Ｂは、無線ドングル２０を介したスタイラスペン２との接続を解除するか否かを判断する（ステップＳ４１）。例えば、スタイラスペン２にて所定の操作（図に示していない登録解除ボタンの押下操作等）が実行されたことを検知した場合、又は無線ドングル２０とスタイラスペン２との間の無線通信が所定時間以上途切れている場合等において、主制御部１１Ｂは、スタイラスペン２との接続を解除すると判断する。
【００８４】
スタイラスペン２との接続を解除しないと判定した場合（Ｓ４１：ＮＯ）、主制御部１１Ｂは、接続を解除するまで待機する。スタイラスペン２の接続を解錠すると判定した場合（Ｓ４１：ＹＥＳ）、主制御部１１Ｂは、ペン管理テーブル１００を更新する（ステップＳ４２）。具体的には主制御部１１Ｂは、接続を解除するスタイラスペン２の識別子をペン管理テーブル１００から削除する。次いで、主制御部１１Ｂは、ホスト端末１Ａに通信部１７Ｂから解除情報を送信する（ステップＳ４３）。解除情報には、接続が解除されたスタイラスペン２のペンＩＤと、クライアント端末１Ｂの端末名と当該スタイラスペン２がペン接続部１３Ｂから解除されたことを示す情報とが含まれている。
【００８５】
ホスト端末１Ａの主制御部１１Ａは、通信部１７Ａにて解除情報を受信したか否かを判定する（ステップＳ４４）。解除情報を受信していないと判定した場合（Ｓ４４：ＮＯ）、主制御部１１Ａは処理を待機する。解除情報を受信したと判定した場合（Ｓ４４：ＹＥＳ）、主制御部１１Ａは、解除情報に含まれるペンＩＤ及び端末名を色管理テーブル１０１から削除する（ステップＳ４５）。その後、主制御部１１Ａは通信部１７Ａからクライアント端末１Ｂに色管理テーブル１０１を送信する（ステップＳ４６）。
【００８６】
クライアント端末１Ｂの主制御部１１Ｂは、ホスト端末１Ａからの色管理テーブル１０１を通信部１７Ｂにて受信したか否かを判定する（ステップＳ４７）。色管理テーブル１０１を受信していないと判定した場合（Ｓ４７：ＮＯ）、主制御部１１Ｂは通信部１７Ｂにて色管理テーブル１０１を受信するまで待機する。色管理テーブル１０１を受信したと判定した場合（Ｓ４７：ＹＥＳ）、主制御部１１Ｂは受信した色管理テーブル１０１を記憶部１２Ｂに記憶し（ステップＳ４８）、処理を終える。
【００８７】
以上の解除処理によって、クライアント端末１Ｂは、解除されたスタイラスペン２の情報を削除するため、当該スタイラスペン２に割り当てられていた表示色を別のスタイラスペン２に割り当てることができる。
【００８８】
図１２は、更新表示処理を行うときにおける表示システムの処理手順を示すフローチャートである。クライアント端末１Ｂの主制御部１１Ｂは、注釈画面１０３の表示の更新をすべき更新タイミングにあるか否かを判定する（ステップＳ５１）。主制御部１１Ｂは例えば、ペンソフトの起動時等の所定時点から１秒等の所定時間が経過する都度、更新タイミングにあると判定する。更新タイミングにないと判定した場合（Ｓ５１：ＮＯ）、主制御部１１Ｂは更新タイミングになるまで待機する。
【００８９】
更新タイミングにあると判定した場合（Ｓ５１：ＹＥＳ）、主制御部１１Ｂは、ホスト端末１Ａに記憶された色管理テーブル１０１の送信を要求する送信要求を、通信部１７Ｂからホスト端末１Ａに送信する（ステップＳ５２）。
【００９０】
ホスト端末１Ａの主制御部１１Ａは、通信部１７Ａにて送信要求を受信したか否かを判定する（ステップＳ５３）。送信要求を受信していないと判定した場合（Ｓ５３：ＮＯ）、主制御部１１Ａは通信部１７Ａにて送信要求を受信するまで待機する。
【００９１】
送信要求を受信したと判定した場合（Ｓ５３：ＹＥＳ）、主制御部１１Ａは、記憶部１２Ａに記憶されている色管理テーブル１０１を、クライアント端末１Ｂに通信部１７Ａから送信する（ステップＳ５４）。
【００９２】
クライアント端末１Ｂの主制御部１１Ｂは、ホスト端末１Ａからの色管理テーブル１０１を通信部１７Ｂにて受信したか否かを判定する（ステップＳ５５）。色管理テーブル１０１を受信していないと判定した場合（Ｓ５５：ＮＯ）、主制御部１１Ｂは色管理テーブ
ル１０１を受信するまで待機する。色管理テーブル１０１を受信したと判定した場合（Ｓ５５：ＹＥＳ）、主制御部１１Ｂは、受信した色管理テーブル１０１に基づいて、注釈画面１０３を表示パネル３に表示する（ステップＳ５６）。クライアント端末１Ｂは例えば、ペン管理テーブル１００のペン識別子と当該ペン識別子を有するスタイラスペン２を識別する名称とを対応付けて記憶するように構成されている。ステップＳ５６において主制御部１１Ｂは例えば、受信した色管理テーブル１０１を参照し、ペンＩＤに対応付けて記憶されている表示色の情報を抽出し、当該ペンＩＤに対応する識別子に対応付けて記憶されている名称と共に注釈画面１０３に表示する。主制御部１１ＢはステップＳ５６において制御プログラムを記憶することにより、本発明の第２表示処理手段として機能する。その後、主制御部１１Ｂは処理を終える。
【００９３】
以上の更新表示処理によって、例えば、スタイラスペン２による表示態様が複数回変更された場合であっても、スタイラスペン２で入力された手書きの軌跡の表示態様を簡便に区別することができる。
【００９４】
また、実施形態１における表示装置１、即ちホスト端末１Ａ及びクライアント端末１Ｂは、使用者から表示パネル３に表示された記憶内容を記憶する記憶操作を受け付けた場合に、当該表示内容を記憶する処理を行う。図１３は、記憶操作を受け付けたときにおける表示装置１の処理手順を示すフローチャートである。表示装置１の主制御部１１は、使用者から記憶操作を受け付けたか否かを判定する（ステップＳ６１）。主制御部１１は例えば、タッチパネル制御部１６から表示パネル３の表示内容を記憶するために当該表示パネル３に表示された特定のボタンに対する接触を示す位置情報が入力されたか否かにより判定する。主制御部１１はステップＳ６１において制御プログラムを実行することにより、記憶操作受付手段として機能する。記憶操作を受け付けていないと判定した場合（Ｓ６１：ＮＯ）、主制御部１１は記憶操作を受け付けるまで待機する。記憶操作を受け付けたと判定した場合（Ｓ６１：ＹＥＳ）、主制御部１１は表示パネル３の表示内容を記憶部１２に記憶する（ステップＳ６２）。このとき、主制御部１１は、スタイラスペン２により入力された手書きの軌跡と、注釈画面１０３とを含む表示内容を記憶部１２に記憶する。
【００９５】
以上のように記憶部１２に表示パネル３の表示内容を記憶することにより、記憶された表示パネル３の表示内容を使用者が参照したときに、手書きの軌跡がどのスタイラスペン２により入力されたかを簡便に確認することができる。
【００９６】
（実施形態２）
実施形態２では、注釈画面１０３にスタイラスペン２に割り当てられた表示色の履歴を表示する。以下にその一例について説明する。なお、以下で説明する構成及び作用を除くその他の構成及び作用は上述の実施形態１と同様であるため、同様の部分については同一の符号を付し、同様の構成に関する詳細な説明及びその作用効果の説明は省略する。
【００９７】
図１４は、実施形態２における注釈画面１０３の一例を示す模式図である。実施形態２における表示装置１は、表示パネル３に各スタイラスペン２の現在の表示色と、先に割り当てられていた表示色とを表示する。図１４に示した注釈画面１０３の例では、「Ｈｏｓｔ２」で識別されるスタイラスペン２に割り当てられている表示色１０３ｂと、先に割り当てられていた表示色１０３ｄが表示されている。表示色１０３ｄは黒色を表している。従って、図１４の注釈画面１０３が表示されている表示パネル３には、「Ｈｏｓｔ２」で識別されるスタイラスペン２による表示色１０３ｂ及び１０３ｄの手書きの軌跡が表示されている。また、当該表示パネル３には、「Ｈｏｓｔ１」で識別されるスタイラスペン２による表示色１０３ａの手書きの軌跡と、「Ｃｌｉｅｎｔ１」で識別されるスタイラスペン２による表示色１０３ｃの手書きの軌跡とが表示されている。
【００９８】
実施形態２におけるホスト端末１Ａは例えば、図１０中のステップＳ３２において色管理テーブル１０１を更新する都度、更新前の色管理テーブル１０１と区別して記憶部１２Ａに記憶する。クライアント端末１Ｂは例えば、図１０中のステップＳ３５において色管理テーブル１０１を記憶部１２Ｂに記憶する際に、先に記憶していた色管理テーブル１０１と区別して記憶する。そして、ホスト端末１Ａ及びクライアント端末１Ｂは夫々、区別して記憶した複数の色管理テーブル１０１に基づいて、図１４に示したような注釈画面１０３を表示する。
【００９９】
以上のように、表示装置１が注釈画面１０３にスタイラスペン２に割り当てられていた表示色の履歴を表示することで、スタイラスペン２の表示色が複数回変更された場合であっても、どの使用者から情報が入力されたかが区別可能となる。また、実施形態１で説明した記憶操作に基づいて表示パネル３の表示内容が記憶された場合に、使用者が記憶された表示内容を参照したときに注釈画面１０３によりどの使用者が情報を入力したかを簡便に区別することができる。
【０１００】
（実施形態３）
実施形態３では、複数の表示装置１夫々に接続された複数のスタイラスペン２夫々に対して異なる線種を割り当てる。以下にその一例について説明する。なお、以下で説明する構成及び作用を除くその他の構成及び作用は上述の実施形態１と同様であるため、同様の部分については同一の符号を付し、同様の構成に関する詳細な説明及びその作用効果の説明は省略する。
【０１０１】
実施形態３における表示装置１は、実施形態１における色管理テーブル１０１に代えて、線種を識別するコードとスタイラスペン２のペンＩＤとを対応付けて記憶する線種管理テーブル１０４を備える。このような線種管理テーブル１０４は、例えば記憶部１２に記憶される。
【０１０２】
図１５は線種管理テーブル１０４の一例を示す概念図である。線種管理テーブル１０４は、手書き文字及び線画を表示する際の線種、線種を識別するコード、線種が割り当てられたスタイラスペン２を接続している端末名、及び当該スタイラスペン２のペンＩＤを対応付けて記憶する。実施形態３では、「ペン」、「筆ペン」及び「マーカ」の３つを線種として定めてあり、各線種に対して異なるコード（１〜３）を与えている。なお、各スタイラスペン２に割り当てることができる線種の数を３つ以上としてもよいことは言うまでもない。
【０１０３】
ここで、注釈画面１０３においては、表示色に代えて線種を表す文字、対応する線種を用いた画像、線種を表すアイコン等が表示される。
【０１０４】
このように構成された表示システムにおいて、ホスト端末１Ａは、クライアント端末１Ｂから情報を取得することにより、線種管理テーブル１０４に記憶された内容の追加、削除等の処理を行い、クライアント端末１Ｂに線種管理テーブル１０４を送信する処理を行う。クライアント端末１Ｂは、ホスト端末１Ａから送信された線種管理テーブル１０４に基づいて各種の処理を行う。即ち、追加処理、変更処理、解除処理、更新表示処理を行う表示システムは、図８〜１２までの処理手順において実施形態１の色管理テーブル１０１に代えて線種管理テーブル１０４を用いる。具体的には、ホスト端末１Ａ及びクライアント端末１Ｂは夫々、スタイラスペン２が新たに追加される場合、登録済みのスタイラスペン２に新たな線種を割り当てる場合、実施形態１の色管理テーブル１０１に代えて、線種管理テーブル１０４を用いて各種の処理を行う。同様に、ホスト端末１Ａ及びクライアント端末１Ｂは夫々、登録済みのスタイラスペン２が解除された場合、注釈画面１０３の表示を更新する場合、実施形態１の色管理テーブル１０１に代えて、線種管理テーブル１０
４を用いて各種の処理を行う。
【０１０５】
以上のように、実施形態３では、各表示装置１に接続される複数のスタイラスペン２夫々に対して異なる線種を割り当てることが可能である。そのため、複数の使用者夫々が手書きの軌跡を表示する場合であっても、どの使用者から情報が入力されたかが区別可能となる。
【０１０６】
（実施形態４）
実施形態４では、ペン接続部１３に接続された複数のスタイラスペン２夫々に対して異なる線幅を割り当てる。以下にその一例について説明する。なお、以下で説明する構成及び作用を除くその他の構成及び作用は上述の実施形態１と同様であるため、同様の部分については同一の符号を付し、同様の構成に関する詳細な説明及びその作用効果の説明は省略する。
【０１０７】
実施形態４における表示装置１は、実施形態１における色管理テーブル１０１に代えて、線幅を識別するコードとスタイラスペン２のペンＩＤとを対応付けて記憶する線幅管理テーブル１０５を備える。このような線幅管理テーブル１０５は、例えば記憶部１２に記憶される。
【０１０８】
図１６は線幅管理テーブル１０５の一例を示す概念図である。線幅管理テーブル１０５は、手書きの軌跡を表示する際の線幅、線幅を識別するコード、及び線幅が割り当てられたスタイラスペン２のペンＩＤを対応付けて記憶する。なお、図１６中においては各線幅に対して異なるコード（整数値）を与える構成としたが、線幅に適宜の定数（例えば１０）を乗算した値をコードとして採用してもよい。
【０１０９】
ここで、注釈画面１０３においては、表示色に代えて、文字の線幅の値、対応する線幅の線を用いた画像等が表示される。
【０１１０】
このように構成された表示システムにおいて、ホスト端末１Ａは、クライアント端末１Ｂから情報を取得することにより、線幅管理テーブル１０５に記憶された内容の追加、削除等の処理を行い、クライアント端末１Ｂに線幅管理テーブル１０５を送信する処理を行う。クライアント端末１Ｂは、ホスト端末１Ａから送信された線幅管理テーブル１０５に基づいて各種の処理を行う。即ち、追加処理、変更処理、解除処理、更新表示処理を行う表示システムは、図８〜１２までの処理手順において実施形態１の色管理テーブル１０１に代えて線幅管理テーブル１０５を用いる。具体的には、ホスト端末１Ａ及びクライアント端末１Ｂは夫々、スタイラスペン２が新たに追加される場合、登録済みのスタイラスペン２に新たな線種を割り当てる場合、実施形態１の色管理テーブル１０１に代えて、線幅管理テーブル１０５を用いて各種の処理を行う。同様に、ホスト端末１Ａ及びクライアント端末１Ｂは夫々、登録済みのスタイラスペン２が解除された場合、注釈画面１０３の表示を更新する場合、実施形態１の色管理テーブル１０１に代えて、線幅管理テーブル１０５を用いて各種の処理を行う。
【０１１１】
以上のように、実施形態４では、各表示装置１に接続される複数のスタイラスペン２夫々に対して異なる線幅を割り当てることが可能である。そのため、複数の使用者夫々が手書きの軌跡を表示する場合であっても、どの使用者から情報が入力されたかが区別可能となる。
【０１１２】
（実施形態５）
実施形態１〜４においては、ホスト端末１Ａ及びクライアント端末１Ｂは共に表示装置１であることを説明した。実施形態５では、ホスト端末１Ａがより簡易な構成であり、本
発明の通信装置として動作する。以下にその一例について説明する。なお、以下で説明する構成及び作用を除くその他の構成及び作用は上述の実施形態１〜４と同様であるため、同様の部分については同一の符号を付し、同様の構成に関する詳細な説明及びその作用効果の説明は省略する。
【０１１３】
実施形態５のホスト端末１Ａは、実施形態１の表示装置１の構成の内、ペン接続部１３、バックライト制御部１４、表示制御部１５、タッチパネル制御部１６、表示パネル３及びタッチパネル４を省いた構成である。即ち、実施形態５のホスト端末１Ａは、主制御部１１、記憶部１２、及び通信部１７を備えている。
【０１１４】
このように構成されたホスト端末１Ａは、複数のクライアント端末１Ｂと通信を行うことにより、各クライアント端末１Ｂに接続されたスタイラスペン２に割り当てられている表示色、線種、又は線幅の情報を記憶し、各スタイラスペン２に割り当てられる表示色が異なるように処理を行う。具体的には、ホスト端末１Ａの主制御部１１は、実施形態１における図８〜図１２に示した追加処理、変更処理、解除処理、及び更新表示処理夫々と同様の処理を行うことで、ホスト端末１Ａを本発明の通信装置として動作する。なお、通信部１７は本発明の通信装置における送信部及び受信部に相当する。
【０１１５】
以上より、ホスト端末１Ａの構成を簡易にし、かつ実施形態１〜４と同様の効果を得ることができる。
【０１１６】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。また、本発明の上述の各実施の形態で記載されている技術特徴は、お互いに組み合わせて新しい技術方案を形成することができる。
【０１１７】
本発明に係る表示システムは、通信部（１７）を有し、入力された手書きの軌跡を予め記憶された複数の表示態様の何れかにより表示画面（３）に表示し、前記軌跡を表す軌跡情報を前記通信部（１７）から送信する複数の表示装置（１）を備え、各表示装置（１）は、自身と異なる表示装置（１）から送信された軌跡情報を通信部（１７）にて受信し、受信した軌跡情報が表す手書きの軌跡を表示画面（３）に表示する表示システムにおいて、一の表示装置（１Ａ）は、前記複数の表示装置（１）にて入力された手書きの軌跡の表示態様夫々を記憶する記憶部（１２Ａ）を有し、他の表示装置（１Ｂ）にて入力された手書きの軌跡における表示態様の変更要求を通信部（１７Ａ）にて受信し、前記変更要求を前記通信部（１７Ａ）にて受信した場合、前記記憶部（１２Ａ）に記憶された記憶内容を前記通信部（１７Ａ）から前記他の表示装置（１Ｂ）に送信するようにしてあり、前記他の表示装置（１Ｂ）は、前記記憶内容を通信部（１７Ｂ）にて受信した場合、前記複数の表示態様の内、前記記憶内容に含まれる表示態様以外の表示態様を選択する操作を受け付ける選択操作受付手段（１１Ｂ）と、入力された手書きの軌跡を、前記選択操作受付手段（１１Ｂ）が受け付けた操作にて選択された表示態様により表示画面に表示する表示処理手段（１１Ｂ）とを有することを特徴とする。
【０１１８】
本発明にあっては、通信部（１７）を有する複数の表示装置（１）を備える。各表示装置（１）は、入力された手書きの軌跡を、予め記憶された複数の表示態様の何れかにより表示画面（３）に表示し、当該軌跡を表す軌跡情報を通信部（１７）から送信する。また、各表示装置（１）は、自身と異なる表示装置（１）から送信された軌跡情報を通信部（１７）にて受信し、受信した軌跡情報が表す手書きの軌跡を表示画面（３）に表示する。
複数の表示装置（１）における一の表示装置（１Ａ）は、当該複数の表示装置（１）にて入力された手書きの軌跡の表示態様夫々を記憶部（１２Ａ）にて記憶する。一の表示装
置（１Ａ）は、他の表示装置（１Ｂ）に入力された手書きの軌跡における表示態様の変更要求を通信部（１７Ａ）にて受信する。一の表示装置（１Ａ）は、変更要求を通信部（１７Ａ）にて受信した場合、記憶部（１２Ａ）に記憶された記憶内容を通信部（１７Ａ）から当該他の表示装置（１Ｂ）に送信する。
他の表示装置（１Ｂ）は、一の表示装置（１Ａ）の記憶部（１２Ａ）の記憶内容を通信部（１７Ｂ）にて受信した場合、複数の表示態様の内、当該記憶内容に含まれる表示態様以外の表示態様を選択する操作を選択操作受付手段（１１Ｂ）にて受け付ける。他の表示装置（１Ｂ）は、選択操作受付手段（１１Ｂ）が受け付けた操作にて選択された表示態様により入力された手書きの軌跡を表示処理手段（１１Ｂ）にて表示画面（３）に表示する。
従って、他の表示装置（１Ｂ）において、手書きの軌跡の表示態様を変更する際に、既に選択されている表示態様以外の表示態様からの選択する操作を受け付けることができる。そのため、複数の使用者によって入力された情報を混在させて表示した場合に、情報の表示態様が変更されたときであっても、どの使用者から情報が入力されたかが区別可能となる。なお、表示画面に表示される種々の情報の表示態様について本発明を適用してもよい。
【０１１９】
本発明に係る表示システムは、前記他の表示装置（１Ｂ）は、入力された手書きの軌跡における表示態様の変更を要求する操作を受け付ける要求操作受付手段（１１Ｂ）を有し、該要求操作受付手段（１１Ｂ）が操作を受け付けた場合、前記変更要求を通信部（１７Ｂ）から前記一の表示装置（１Ａ）に送信するようにしてあることを特徴とする。
【０１２０】
本発明にあっては、他の表示装置（１Ｂ）は、入力された手書きの軌跡における表示態様の変更を要求する操作を要求操作受付手段（１１Ｂ）にて受け付ける。他の表示装置は、要求操作受付手段（１１Ｂ）が操作を受け付けた場合、変更要求を通信部（１７Ｂ）から一の表示装置（１Ａ）に送信する。従って、他の表示装置（１Ｂ）は、表示態様の変更を要求する操作を受け付けた場合に一の表示装置（１Ａ）と通信を行い、使用されていない表示態様を表示等することができる。そのため、他の表示装置（１Ｂ）は、他の使用者と異なる表示態様を使用者に選択させることができる。
【０１２１】
本発明に係る表示システムは、前記他の表示装置（１Ｂ）は、前記選択操作受付手段（１１Ｂ）が操作を受け付けた場合、該操作にて選択された表示態様の情報を通信部（１７Ｂ）から前記一の表示装置（１Ａ）に送信するようにしてあり、前記一の表示装置（１Ａ）は、前記表示態様の情報を通信部（１７Ａ）にて受信した場合、該情報が表す表示態様が前記他の表示装置（１Ｂ）にて入力された手書きの軌跡における表示態様となるように、前記記憶部（１２Ａ）の記憶内容を更新する更新処理手段（１１Ａ）を有することを特徴とする。
【０１２２】
本発明にあっては、他の表示装置（１Ｂ）は、選択操作受付手段（１１Ｂ）が操作を受け付けた場合、当該操作にて選択された表示態様の情報を通信部（１７Ｂ）から一の表示装置（１Ａ）に送信する。一の表示装置（１Ａ）は、当該表示態様の情報を通信部（１７Ａ）にて受信した場合、当該情報が表す表示態様が他の表示装置（１Ｂ）にて入力された手書きの軌跡における表示態様となるように、記憶部（１２Ａ）の記憶内容を更新処理手段（１１Ａ）にて更新する。従って、一の表示装置（１Ａ）は、他の表示装置（１Ｂ）にて入力される手書きの軌跡における表示態様が変更された場合に変更された表示態様を記憶部（１２Ａ）に記憶することで、記憶部（１２Ａ）の記憶内容を更新することができる。そのため、一の表示装置（１Ａ）が例えば、第３の表示装置（１）から表示態様の変更要求を受信した場合であっても、他の表示装置（１Ｂ）により選択されていない表示態様を当該第３の表示装置（１）の使用者に選択させることができる。
【０１２３】
本発明に係る表示システムは、前記他の表示装置（１Ｂ）は、手書きの入力に用いられる手書入力具（２）を接続する接続部（１３Ｂ）を有し、該接続部（１３Ｂ）が手書入力具（２）を接続した場合、該手書入力具（２）の識別情報を含む接続情報を通信部（１７Ｂ）から前記一の表示装置（１Ａ）に送信するようにしてあり、前記一の表示装置（１Ａ）は、前記接続情報を通信部（１７Ａ）にて受信した場合、前記複数の表示態様の内、前記記憶部（１２Ａ）に記憶されている表示態様以外の任意の表示態様を、前記接続情報に含まれる識別情報に対応付けて前記記憶部（１２Ａ）に記憶する記憶処理手段（１１Ａ）を有し、該記憶処理手段（１１Ａ）にて前記識別情報に対応付けられた表示態様の情報を前記通信部（１７Ａ）から前記他の表示装置（１Ｂ）に送信するようにしてあり、前記他の表示装置（１Ｂ）の表示処理手段（１１Ａ）は、前記識別情報に対応付けられた表示態様の情報を前記他の表示装置の通信部（１７Ａ）が受信した場合、前記識別情報により識別される手書入力具（２）から入力された手書きの軌跡を前記表示態様により表示するようにしてあることを特徴とする。
【０１２４】
本発明にあっては、他の表示装置（１Ｂ）は、手書きの入力に用いられる手書入力具（２）を接続部（１３Ｂ）にて接続する。他の表示装置（１Ｂ）は、接続部（１３Ｂ）が手書入力具（２）を接続した場合、当該手書入力具（２）の識別情報を通信部（１７Ｂ）から一の表示装置（１Ａ）に送信する。一の表示装置（１Ａ）は、当該識別情報を通信部（１７Ａ）にて受信した場合、記憶された複数の表示態様の内、記憶部（１２Ａ）に記憶されている表示態様以外の任意の表示態様を当該識別情報に対応付けて、記憶処理手段（１１Ａ）にて記憶部（１２Ａ）に記憶する。一の表示装置（１Ａ）は、記憶処理手段（１１Ａ）にて当該識別情報に対応付けられた表示態様の情報を通信部（１７Ａ）から他の表示装置（１Ｂ）に送信する。更に、他の表示装置（１Ｂ）の表示処理手段（１１Ｂ）は、識別情報に対応付けられた表示態様の情報を当該他の表示装置（１Ｂ）の通信部（１７Ａ）が受信した場合、当該識別情報により識別される手書入力具（２）から入力された手書きの軌跡を当該表示態様により表示する。従って、例えば他の表示装置（１Ｂ）に複数の手書入力具（２）が接続された場合であっても、各手書入力具（２）による表示態様を区別することができる。そのため、１つの他の表示装置（１Ｂ）に複数人の使用者が手書入力具（２）を用いて情報を入力した場合であっても、どの使用者から情報が入力されてかを区別可能とすることができる。
【０１２５】
本発明に係る表示システムは、前記他の表示装置（１Ｂ）は、通信部（１７Ｂ）にて受信した前記記憶部（１２Ｂ）の記憶内容に含まれる前記識別情報及び表示態様の対応関係を自身の表示画面（３）に表示する第２表示処理手段（１１Ｂ）を有することを特徴とする。
【０１２６】
本発明にあっては、他の表示装置（１Ｂ）は、通信部（１７Ｂ）にて受信した一の表示装置（１Ａ）の記憶部（１２Ａ）の記憶内容に含まれる識別情報及び表示態様の対応関係を、第２表示処理手段（１１Ａ）にて自身の表示画面（３）に表示する。従って、手書入力具（２）で入力された手書きの軌跡の表示態様を簡便に区別することができる。
【０１２７】
本発明に係る表示システムは、前記他の表示装置（１Ｂ）は、自身の表示画面（３）の表示内容を記憶する操作を受け付ける記憶操作受付手段（１１Ｂ）を有し、該記憶操作受付手段（１１Ｂ）が操作を受け付けた場合、自身の表示画面（３）に表示された手書きの軌跡及び前記第２表示処理手段（１１Ｂ）により表示された表示内容を記憶するようにしてあることを特徴とする。
【０１２８】
本発明にあっては、他の表示装置（１Ｂ）は、自身の表示画面（３）の表示内容を記憶する操作を記憶操作受付手段（１１Ｂ）にて受け付ける。また、他の表示装置（１Ｂ）は、記憶操作受付手段（１１Ｂ）が操作を受け付けた場合、自身の表示画面（３）に表示さ
れた手書きの軌跡及び第２表示処理手段（１１Ｂ）により表示された表示内容を記憶する。従って、記憶された表示画面（３）の表示内容を使用者が参照したときに、手書きの軌跡がどの手書入力具（２）により入力されたかを簡便に確認することができる。
【０１２９】
本発明に係る表示システムは、前記他の表示装置（１Ｂ）は、前記記憶部（１２Ａ）の記憶内容の送信要求を通信部（１７Ｂ）から前記一の表示装置（１Ａ）に反復的に送信するようにしてあり、前記一の表示装置（１Ａ）は、前記送信要求を通信部（１７Ａ）にて受信した場合、前記記憶部（１２Ａ）の記憶内容を該通信部（１７Ａ）から前記他の表示装置（１Ｂ）に送信するようにしてあることを特徴とする。
【０１３０】
本発明にあっては、他の表示装置（１Ｂ）は、一の表示装置（１Ａ）における記憶部（１２Ａ）の記憶内容の送信要求を通信部（１７Ｂ）から一の表示装置（１Ａ）に反復的に送信する。一の表示装置（１Ａ）は、当該送信要求を通信部（１７Ａ）にて受信した場合、記憶部（１２Ａ）の記憶内容を通信部（１７Ａ）から他の表示装置（１Ｂ）に送信する。従って、例えば、手書入力具（２）による表示態様が複数回変更された場合であっても、手書入力具（２）で入力された手書きの軌跡の表示態様を簡便に区別することができる。
【０１３１】
本発明に係る表示システムは、前記表示態様は、前記軌跡を表す線の線種、線幅、及び色の少なくとも一つを含むことを特徴とする。
【０１３２】
本発明にあっては、各表示装置（１）に表示される手書の軌跡の表示態様は、当該軌跡を表す線の線種、線幅、及び色の少なくとも一つを含む。従って、接続手段に接続された複数の手書入力具（２）を用いて手書き入力を行った場合、手書入力具（２）毎に線種、線幅及び色の少なくとも１つを異ならせることができる。
【０１３３】
本発明に係る通信装置（１Ａ）は、入力された手書きの軌跡を予め記憶された複数の表示態様の何れかにより表示画面（３）に表示する複数の表示装置（１Ｂ）夫々との間で、前記表示態様の情報の通信を行う通信装置（１Ａ）であって、前記複数の表示装置（１Ｂ）にて入力された手書きの軌跡の表示態様夫々を記憶する記憶部（１２Ａ）と、入力された手書きの軌跡における表示態様の変更要求を前記表示装置（１Ｂ）から受信する受信部（１７Ａ）と、該受信部（１７Ａ）が変更要求を受信した場合、前記複数の表示態様の内、前記記憶部（１２Ａ）に記憶された表示態様以外の表示態様に変更させるべく、前記記憶部（１２Ｂ）に記憶された表示態様の情報を前記表示装置（１Ｂ）に送信する送信部（１７Ａ）とを備えることを特徴とする。
【０１３４】
本発明にあっては、記憶部（１２Ａ）は複数の表示装置（１Ｂ）にて入力された手書きの軌跡の表示態様夫々を記憶する。受信部（１７Ａ）は、入力された手書きの軌跡における表示態様の変更要求を表示装置（１Ｂ）から受信する。送信部（１７Ｂ）は、受信部（１７Ａ）が変更要求を受信した場合、複数の表示態様の内、記憶部（１２Ａ）に記憶された表示態様以外の表示態様に変更させるべく、記憶部（１２Ａ）に記憶された表示態様の情報を当該表示装置（１Ｂ）に送信する。従って、通信装置（１Ａ）は、表示態様の変更要求を送信した表示装置（１Ｂ）に対して、既に選択されている表示態様以外の表示態様を送信することができる。そのため、例えば当該複数の表示装置（１Ｂ）夫々が入力された手書きの軌跡を他の表示装置（１Ｂ）に表示させるべく通信を行うように構成されていた場合に、当該軌跡の表示態様が変更されたときであっても、どの使用者から情報が入力されたかが区別可能となる。
【０１３５】
本発明に係るコンピュータプログラムは、入力された手書きの軌跡を予め記憶された複数の表示態様の何れかにより表示画面に表示する複数の表示装置（１Ｂ）夫々との間で、
前記表示態様の情報の通信をコンピュータに行わせるコンピュータプログラムであって、前記コンピュータに、前記複数の表示装置（１Ｂ）にて入力された手書きの軌跡の表示態様夫々を記憶する記憶ステップと、入力された手書きの軌跡における表示態様の変更要求を前記表示装置（１Ｂ）から受信する受信ステップと、変更要求を受信した場合、前記複数の表示態様の内、記憶された表示態様以外の表示態様に変更させるべく、記憶された表示態様を前記表示装置（１Ｂ）に送信する送信ステップとを実行させることを特徴とする。
【０１３６】
本発明にあっては、コンピュータは、複数の表示装置（１Ｂ）にて入力された手書きの軌跡の表示態様夫々を記憶する。コンピュータは、入力された手書きの軌跡における表示態様の変更要求を表示装置（１Ｂ）から受信する。コンピュータは、変更要求を受信した場合、複数の表示態様の内、記憶された表示態様以外の表示態様に変更させるべく、記憶された表示態様を表示装置（１Ｂ）に送信する。従って、表示態様の変更要求を送信した表示装置（１Ｂ）に対して、既に選択されている表示態様以外の表示態様をコンピュータに送信させることができる。そのため、例えば当該複数の表示装置（１Ｂ）夫々が入力された手書きの軌跡を他の表示装置（１Ｂ）に表示させるべく通信を行うように構成されていた場合に、当該軌跡の表示態様が変更されたときであっても、どの使用者から情報が入力されたかが区別可能となる。
【符号の説明】
【０１３７】
１  表示装置
１Ａ  ホスト端末
１Ｂ  クライアント端末
２  スタイラスペン
３  表示パネル
４  タッチパネル
５  記録媒体
５ａ  制御プログラム
１１  主制御部
１２  記憶部
１３  ペン接続部
１３ａ  装着部
１４  バックライト制御部
１５  表示制御部
１６  タッチパネル制御部
１７  通信部
２０  無線ドングル
１００  ペン管理テーブル
１０１  色管理テーブル
１０２  ペン設定画面
１０３  注釈画面
１０４  線種管理テーブル
１０５  線幅管理テーブル
【図１】
2018152129.tif 000003
【図２】
2018152129.tif 000004
【図３】
2018152129.tif 000005
【図４】
2018152129.tif 000006
【図５】
2018152129.tif 000007
【図６】
2018152129.tif 000008
【図７】
2018152129.tif 000009
【図８】
2018152129.tif 000010
【図９】
2018152129.tif 000011
【図１０】
2018152129.tif 000012
【図１１】
2018152129.tif 000013
【図１２】
2018152129.tif 000014
【図１３】
2018152129.tif 000015
【図１４】
2018152129.tif 000016
【図１５】
2018152129.tif 000017
【図１６】
2018152129.tif 000018